(57)【特許請求の範囲】
【請求項１】
複数の操作対象部に対して該操作対象部を選択して操作したときの情報を表示する表示装置であって、
複数の情報を記憶する記憶手段と、選択された前記操作対象部を操作制御する制御手段と、前記操作対象部に対応して設けられ被操作によって該操作対象部を選択する複数個の表示部付き操作手段とを備え、
前記制御手段は、前記操作対象部毎に最後に操作制御した情報を前記記憶手段に記憶させると共に、前記記憶手段に記憶させた情報を前記操作対象部毎に前記複数個の表示部付き操作手段に表示させることを特徴とする表示装置。
【請求項２】
前記制御手段は、前記表示部付き操作手段の操作によって、前記複数の操作対象部の一つが選択された場合には、前記複数個の表示部付き操作手段の表示を選択された一つの操作対象部を操作制御するための情報に切り替えることを特徴とする請求項１に記載された表示装置。
【請求項３】
放送局からの放送を受信する受信手段と記録媒体に記録されている情報を再生する再生手段からなる操作対象部に対して該操作対象部の各手段を操作したときの情報を表示する表示装置であって、
複数の情報を記憶する記憶手段と、選択された前記操作対象部を操作制御する制御手段と、前記操作対象部に対応して設けられ被操作によって該操作対象部を選択する複数個の表示部付き操作手段とを備え、
前記制御手段は、前記操作対象部の手段毎に最後に操作制御した情報を前記記憶手段に記憶させると共に、前記記憶手段に記憶させた情報を前記操作対象部の手段毎に前記複数個の表示部付き操作手段に表示させ、前記受信手段と前記再生手段のいずれかが選択された場合には、選択された手段を操作制御する情報を前記複数個の表示部付き操作手段に切り替え表示させることを特徴とする表示装置。
【発明の詳細な説明】
【０００１】
【発明の属する技術分野】
本発明は、例えばオーディオ機器や映像機器その他の電子機器に設けられる表示装置に関し、特に、使用者等が電子機器を最後に操作したときの情報を効果的に表示する表示装置に関するものである。
【０００２】
【従来の技術】
周知の如く、各種の電子機器には様々な表示装置が設けられている。これらの表示装置のうち、電子機器に設定されている情報を使用者等の希望に応じて表示する多機能の表示装置が知られている。
【０００３】
図１４は、多機能表示装置の従来例として、車載用オーディオ装置に設けられた表示装置の構成例を示している。図１４において、この車載用オーディオ装置のフロントパネル１には、表示部２と、コンパクトディスク（ＣＤ）を挿入するための挿入口３と、カートリッジテープを挿入するための挿入口４の他、音量調節釦５、受信機の受信周波数を微調整するためのチューニング６、自動選局釦７、ワンタッチ選局釦８〜１３、ＡＭ放送及びＦＭ放送の受信とＣＤ再生及びテープ再生を指定するための操作釦１４〜１７等の各種操作釦が設けられている。
【０００４】
使用者等により自動選局釦７が押されると、受信可能なラジオ放送局を選局するためのプリセットモードとなり、車載用オーディオ装置内に搭載されている受信機が放送を受信し、各ラジオ放送局の周波数をワンタッチ選局釦８〜１３に割り当てるようになっている。
【０００５】
このプリセットモードが終了した後、ワンタッチ選局釦８〜１３のいずれか１つが押されると、押されたワンタッチ選局釦の周波数を受信機の受信周波数に設定すると共に、図１４（ａ）に示すように、受信周波数とＡＭ／ＦＭ周波数の受信バンドを文字等によって表示部２に表示する。これにより、使用者等は指定した放送局の放送を聴くことが可能となる。
【０００６】
また、操作釦１４又は１５が押されると、ワンタッチ選局釦８〜１３によって最後に選局された放送局の周波数と受信バンドを図１４（ａ）に示すように表示部２に表示すると共に、受信機の受信周波数をその周波数に設定することにより、使用者等がその放送局の放送を聴くことができるようになっている。
【０００７】
また、操作釦１６が押されると、使用者等が最後に聴いたコンパクトディスクに記録されている楽音名や、その楽音が記録されている記録トラック等の情報を表示部２に表示し、その楽音から再生を行う。
【０００８】
また、操作釦１７が押されると、使用者等が最後に聴いたカートリッジテープに記録されている楽音の順番等の情報を表示部２に表示し、その楽音から再生を行う。
【０００９】
また、使用者等が操作釦８〜１７のうちの１つを操作した後、所定時間が経過してもそれらの操作釦を操作しない場合には、所謂ディフォルトモードとなり、図１４（ｂ）に示すように、表示部２の表示が、自動的に暦と月日及び現在の時刻等の情報を有するカレンダー表示に切り換わるようになっている。
【００１０】
【発明が解決しようとする課題】
ところで、上述したように従来の表示装置では、図１４（ｂ）に示したディフォルトモードになると、ＡＭ／ＦＭ放送やＣＤ再生、テープ再生に関する表示を消し、その代わりにカレンダー表示に切り換わるようになっている。
【００１１】
このため、使用者等が操作釦１４〜１７を様々に操作してＡＭ／ＦＭ放送やＣＤ再生、テープ再生を行わせた後に、図１４（ｂ）に示したディフォルトモードに切り換わると、最後に聴いた楽音を再び聴こうとしたり、最後に選局した放送局を再設定しようとする場合には、操作釦１４〜１７を再び押して、図１４（ａ）に示した放送局等の表示に切り換える必要があった。
【００１２】
例えば、使用者等が操作釦１６を操作してコンパクトディスクの楽音を聴いた後、操作釦１４によりＡＭ放送に切換えて、ある放送局のＡＭ放送を聴いている途中でディフォルトモードに切換わった場合には、最後に聴いたコンパクトディスクの楽音を再度聴こうとしても、表示部２はカレンダー表示になっているので、表示部２を見ただけでは、その楽音の記録されている記録トラック等の情報を直感的に知ることができない。
【００１３】
したがって、最後に聴いた楽音の記録トラック等の情報を表示部２に表示させるべく操作釦１６を操作しなければならず、使用者等にとって必ずしも視認性と操作性がよいとはいえなかった。また、車両を運転中にこのような操作を行うことは、使用者等にとって必ずしも好ましいこととはいえなかった。
【００１４】
本発明は上記従来技術の課題に鑑みてなされたものであり、使用者等が最後に操作したときの情報を効果的に表示する表示装置を提供することを目的とする。
【００１５】
【課題を解決するための手段】
上記目的を達成するために本発明は、一つには、複数の操作対象部に対して該操作対象部を選択して操作したときの情報を表示する表示装置であって、複数の情報を記憶する記憶手段と、選択された前記操作対象部を操作制御する制御手段と、前記操作対象部に対応して設けられ被操作によって該操作対象部を選択する複数個の表示部付き操作手段とを備え、前記制御手段は、前記操作対象部毎に最後に操作制御した情報を前記記憶手段に記憶させると共に、前記記憶手段に記憶させた情報を前記操作対象部毎に前記複数個の表示部付き操作手段に表示させることを特徴とする。また一つには、前述の特徴を有する表示装置において、前記制御手段は、前記表示部付き操作手段の操作によって、前記複数の操作対象部の一つが選択された場合には、前記複数個の表示部付き操作手段の表示を選択された一つの操作対象部を操作制御するための情報に切り替えることを特徴とする。更には、放送局からの放送を受信する受信手段と記録媒体に記録されている情報を再生する再生手段からなる操作対象部に対して該操作対象部の各手段を操作したときの情報を表示する表示装置であって、複数の情報を記憶する記憶手段と、選択された前記操作対象部を操作制御する制御手段と、前記操作対象部に対応して設けられ被操作によって該操作対象部を選択する複数個の表示部付き操作手段とを備え、前記制御手段は、前記操作対象部の手段毎に最後に操作制御した情報を前記記憶手段に記憶させると共に、前記記憶手段に記憶させた情報を前記操作対象部の手段毎に前記複数個の表示部付き操作手段に表示させ、前記受信手段と前記再生手段のいずれかが選択された場合には、選択された手段を操作制御する情報を前記複数個の表示部付き操作手段に切り替え表示させることを特徴とする。
【００１６】
このような特徴によると、使用者等が最後に操作した情報が記憶手段に記憶され、記憶手段に記憶された情報が複数の操作対象部毎に複数個の表示部付き操作手段に表示される。この結果、表示使用者等は表示部付き操作手段を見るだけで、複数の操作対象部が最後に操作されたときの情報を直感的に知ることが可能になる。また、例えば、放送受信手段や情報記録媒体の再生手段のような複数の操作対象部の一つが選択された場合には、複数個の表示部付き操作手段の表示を切り替えて、選択された操作対象部を操作制御する情報を表示させるので、複数個の表示部付き操作手段の表示機能を利用して操作制御に関する詳細な情報を表示することができる。
【００１７】
【発明の実施の形態】
以下、本発明の実施の形態を図面を参照して説明する。尚、一実施の形態として、車載用オーディオ装置に設けられる表示装置について説明する。図１において、本車載用オーディオ装置１８の操作パネル１９には、液晶ディスプレイ等から成る表示手段としての表示部２０と、コンパクトディスク（ＣＤ；Conpact Disc）を挿入するための挿入口２１と、ミニディスク（ＭＤ；Mini Disc）を挿入するための挿入口２２が設けられている。挿入口２２の下方には、４個ずつを組にして上下２段に配設された操作釦２３〜２６，２７〜３０と、操作釦２６，３０の右側にそれぞれ配設された操作釦３１，３２が備えられている。
【００１８】
ここで、操作釦２３〜２６は、主にプリセットされている放送局を選局するための設定釦として設けられている。操作釦３１は、主として車両に搭載されているオーディオシステムを調節するためのファンクションキーとして設けられている。また、操作釦２７〜３０，３２は、主として車両に搭載されているエアーコンディショナーを調節したり現在の動作状況等を表示させるためのファンクションキーとして設けられている。
【００１９】
尚、操作パネル１９にはその他にも各種操作釦が設けられているが、説明の都合上、ここでは省略している。
【００２０】
操作釦２３〜３０は、いずれも図２の縦断面図に示す構造を有している。すなわち、操作パネル１９の所定部分に穿設された矩形状の穴３３を介して外側に露出する透明プラスッチックで成形された窓部材３４と、窓部材３４の背面側に所定の隙間をもって対向配置されたエレクトロルミネッセンス３５とを備えて構成されている。
【００２１】
窓部材３４は、その一端３４ａが電気回路基板３６上に立設されている支持部材３７によって揺動自在に支持されており、外部から力が付与されない状態では常に穴３３側に付勢され、使用者等が操作パネル１９の前面側から押すと、エレクトロルミネッセンス３４側へ若干揺動するようになっている。
【００２２】
窓部材３４の他端３４ｂには、電気回路基板３６上に設けられた電気接点３８に対し所定の隙間をもって対向する電気接点３９が設けられている。使用者等が窓部材３４を操作パネル１９の前面側から押すと、上記の揺動により電気接点３８，３９が電気的に接触し、後述する中央制御部４１がこの電気的接触を検出することにより、使用者等による操作が行われたと判定する。
【００２３】
エレクトロルミネッセンス３５は、透過型の液晶ディスプレイやドットマトリックス型の発光ダイオード等で構成され、中央制御部４１から供給される表示データに基づいて、窓部材３４に面した表示領域に文字や図形等を表示する。
【００２４】
かかる構成により、操作釦２３〜３０は表示可能な押し釦式スイッチ、すなわち、表示部付き操作手段となっており、使用者等はエレクトロルミネッセンス３５で表示される文字や図形等を透明な窓部材３４を通して見ることができる。
【００２５】
図３は、本表示装置を制御する制御回路４０の構成を示すブロック図である。同図において、制御回路４０には、表示部２０と操作釦２３〜３２，ＳＢ１〜ＳＢ４が接続されたマイクロプロセッサ（ＭＰＵ）を有する中央制御部４１が設けられている。
【００２６】
また、中央制御部４１には、プログラム記憶部４２、表示データ記憶部４３、選局データ記憶部４４、プリセットデータ記憶部４５、履歴データ記憶部４６が接続される他、ＡＭ／ＦＭチューナを備えた受信機４７と、上記コンパクトディスクとミニディスクを再生するＣＤ再生装置４８とＭＤ再生装置４９、オーディオスピーカ５０、及び図示していないエアーコンディショナーが接続されている。
【００２７】
ここで、プログラム記憶部４２には、予め設定されたシステムプログラムが記憶されており、中央制御部４１が操作釦２３〜３２の操作に応じて上記システムプログラムを実行することにより、本表示装置の表示動作を制御するようになっている。表示データ記憶部４３には、表示部２０と操作釦２３〜３０の上記エレクトロルミネッセンス３５に表示すべき文字や図形等の表示データが予め記憶されている。
【００２８】
選局データ記憶部４４には、図４に示すように、ラジオ放送用周波数のチャンネル番号表に掲載されている全国の放送局（Ｂ１）〜（Ｂｎ）とそれらの周波数及びＡＭ／ＦＭ等の周波数バンドに関するデータが予め記憶されている。プリセットデータ記憶部４５は、図５に示すように、後述のプリセットにより取得した放送局とその周波数のデータを所定形式のコードデータとして記憶するために設けられている。
【００２９】
履歴データ記憶部４６は、図６に示すように、操作者等が最後に選局したＡＭ放送局に関する情報及びＦＭ放送局に関する情報と、最後に聴いたコンパクトディスクの楽音名等の情報及びミニディスクの楽音名等の情報を記憶するために設けられている。
【００３０】
次に、かかる構成を有する表示装置の動作例を、図７〜図１２を参照して説明する。尚、図７は、本表示装置の動作を模式的に示す状態遷移図、図８〜図１２は、表示部２０と操作釦２３〜３０の表示例を示す説明図である。
【００３１】
図７において、本車載用オーディオ装置に電源が投入された場合や、操作釦２３〜３０を所定時間以上継続して操作しないと、中央制御部４１がこれを検知してディフォルトモード１００を設定する。
【００３２】
このディフォルトモード１００では、図８に示すように、表示部２０に暦と月日及び現在時刻が表示され、操作釦２３，２４には、使用者等が最後に選局したＡＭ放送とＦＭ放送の各放送局の周波数を文字や図形等によって表示され、操作釦２５，２６には、使用者等が最後に聴いたコンパクトディスクの楽音とミニディスクの楽音が記録されているそれぞれの記録トラックを文字や図形等によって表示される。操作釦２７〜３０のそれぞれには、エアーコンディショナーを調整操作するためのファンクションキーに切り替わった旨の表示が行われる。
【００３３】
尚、放送局が未だプリセットされていない場合や、各再生装置４８，４９の音楽情報を聴いていない初期状態においては、操作釦２３〜２６には予め設定されている初期値情報が表示される。
【００３４】
また、ＣＤ再生装置４８に、予め複数のコンパクトディスクを収納することを可能にする所謂オートチェンジャが備えられている場合には、操作釦２５には、使用者等が最後に聴いたコンパクトディスクの楽音が記録されている記録トラックと、そのコンパクトディスの収納位置を示すディスク番号も併せて表示する。
【００３５】
このディフォルトモード１００において、操作釦２３〜２６のいずれか１つが押されると、受信・再生モード２００となる。
【００３６】
すなわち、操作釦２３が操作されて受信・再生モード２００になると、図９に示すようにＡＭ放送に関する表示に切り替わり、履歴データ記憶部４６に記憶されているＡＭ放送の放送局の局名とその周波数及び受信バンドを文字や図形等によって表示部２０に表示すると共に、その周波数を受信機４７の受信周波数に設定する。これにより、使用者等は最後に聴いたＡＭ放送局の放送を再び聴くことが可能となる。更に、操作釦２３〜２６には、図中の「Ｂ４放送」〜「Ｂ８放送」等で示されているように、既にプリセットデータ記憶部４５に記憶されている放送局に関する情報が表示される。更に又、操作釦２７〜３０には、自動プリセット（AUTO PRESET）や音量調整等の操作が可能なファンクションキーに切り替わった旨の表示が文字や図形等によって行われる。
【００３７】
操作釦２４が操作されて受信・再生モード２００になった場合には、図１０に示すようにＦＭ放送に関する表示に切り替わり、履歴データ記憶部４６に記憶されているＦＭ放送の放送局の局名とその周波数及び受信バンドを文字や図形等によって表示部２０に表示すると共に、その周波数を受信機４７の受信周波数に設定する。これにより、使用者等が最後に聴いたＦＭ放送局の放送を再び聴くことが可能となる。更に、操作釦２３〜２６には、図中の「Ｂ４’放送」〜「Ｂ８’放送」等で示されているように、既にプリセットデータ記憶部４５に記憶されている放送局に関する情報が表示される。更に又、操作釦２７〜３０には、自動プリセット（AUTO PRESET）や音量調整等の操作が可能なファンクションキーに切り替わった旨の表示が文字や図形等によって行われる。
【００３８】
操作釦２５が操作されて受信・再生モード２００になると、図１１に示すようにＣＤ再生に関する表示に切り替わり、履歴データ記憶部４６に記憶されているコンパクトディスクの番号と楽音の記録トラックを文字や図形等によって表示部２０に表示すると共に、ＣＤ再生装置４８を作動させることにより、使用者等が最後に聴いた楽音から再生を開始する。更に、操作釦２３〜３０には、ＣＤ再生装置４８を制御（再生開始、順早送り、逆早送り等の制御）することが可能なファンクションキーに切り替わった旨の表示が文字や図形等によって行われる。
【００３９】
操作釦２６が操作されて受信・再生モード２００になると、図１２に示すようにＭＤ再生に関する表示に切り替わり、履歴データ記憶部４６に記憶されているミニディスクの記録トラックを文字や図形等によって表示部２０に表示すると共に、ＭＤ再生装置４９を作動させることにより、使用者等が最後に聴いたミニディスクの楽音から再生を開始する。更に、操作釦２３〜３０には、ＭＤ再生装置４９を制御（再生開始、順早送り、逆早送り等の制御）することが可能なファンクションキーに切り替わった旨の表示が文字や図形等によって行われる。
【００４０】
そして、受信・再生モード２００の状態で、使用者等が操作釦３１を押すと、再びディフォルトモード１００になって、図８に示したのと同様の表示が行われる。したがって、使用者等は操作釦３１を押してデフォルト表示を設定することにより、ＡＭ放送とＦＭ放送とＣＤ再生及びＭＤ再生の選択を適宜に行うことができる。
【００４１】
また、操作釦３１が押されると、受信・再生モード２００からディフォルトモード１００に直接切り替わるのではなく、履歴記憶モード３００を経由してディフォルトモード１００に切り替わる。すなわち、履歴記憶モード３００において、各操作釦２３〜３０が最後に操作されたときの放送局の周波数やコンパクトディスク又はミニディスクの楽音の記録トラックを履歴データ記憶部４６に記憶し、その後に、ディフォルトモード１００に切り替わる。
【００４２】
尚、上記履歴情報の記憶は、各種設定が行われる毎に行うようにしてもよい。例えば、コンパクトディスクを再生している場合に、所定の楽曲を選曲した場合には、この時点で履歴情報の記憶を行ってもよい。
【００４３】
また、受信・再生モード２００の状態で、使用者等が予め決められた時間継続しても操作釦２３〜３０を操作しない場合にも、履歴記憶モード３００となり、各操作釦２７〜３０が最後に操作されたときの放送局の周波数やコンパクトディスク又はミニディスクの楽音の記録トラックを履歴データ記憶部４６に記憶してから、ディフォルトモード１００に切り換わる。
【００４４】
したがって、受信・再生モード２００からディフォルトモード１００になった場合には、履歴記憶モード３００において履歴データ記憶部４６に記憶された最後の情報が、図８に示したように、各操作釦２３〜２６に表示される。
【００４５】
また、図９に示したように、使用者等がＡＭ放送の受信を選択した後、「AUTO PRESET」の表示が成されている操作釦２８を押すと、受信可能なＡＭ放送局を自動的にプリセットするためのプリセット処理が行われる。すなわち、受信機４７が低い周波数から高い周波数へ連続して選局し、放送を受信する度にその放送局の周波数を自動的にプリセットデータ記憶部４５に記憶させると共に、受信強度の強い周波数を周波数の低い順からプリセットデータ記憶部４５に記憶させる。
【００４６】
更に、プリセットした各周波数に該当する放送局の局名を選局データ記憶部４４から検索し、図５に示したように、放送局とその周波数を対応づけてプリセットデータ記憶部４５に記憶させ、プリセットデータ記憶部４５の第１番目（No.1）の記憶領域に記憶された放送局とその周波数を表示部２０に表示させる。
【００４７】
ここで、プリセットによりプリセットデータ記憶部４５に記憶された放送局の数が操作釦２３〜２６の個数Ｎ（＝４個）より多い場合には、最も受信強度が強く且つ最も低い周波数の放送局を第１番目（No.1）の記憶領域に記憶させ、残りの放送局をＮ個（＝４個）ずつの組に区分けしてプリセットデータ記憶部４５に記憶させる。
【００４８】
また、図１０に示したように、使用者等がＦＭ放送の受信を選択した後、「AUTO PRESET」の表示が成されている操作釦２８を押すと、受信可能なＦＭ放送局を自動的にプリセットするためのプリセット処理が行われ、この処理においても、上記ＡＭ放送局のプリセット処理と同様の処理が行われる。
【００４９】
このようにプリセットが行われた後、図９に示したＡＭ放送の受信状態で、使用者等が操作釦２３〜２６のいずれかを操作すると、所望のＡＭ放送局を選局してその放送を聴くことができ、また、図１０に示したＦＭ放送の受信状態で、使用者等が操作釦２３〜２６のいずれかを操作すると、所望のＦＭ放送局を選局してその放送を聴くことが可能となる。
【００５０】
更にまた、図９又は図１０に示した状態で、使用者等が操作釦２９又は３０を押すと、その都度に、図５に示したプリセットデータ記憶部４５内の情報がページ単位（４個ずつ）で切り換えられて、操作釦２３〜２６に表示される放送局が切換え表示される。
【００５１】
これにより、プリセットされた放送局の数が操作釦２３〜２６の個数より多い場合でも、使用者等は操作釦２９又は３０によってページ切換えを指示すると、プリセットされている全ての放送局を選局することができる。尚、図９と図１０に示した操作釦２９は放送局を４個ずつページダウンさせて切換えを行うためのページ切り換え釦、操作釦３０は放送局を４個ずつページアップさせて切換えを行うためのページ切り換え釦となる。
【００５２】
このように本実施形態によれば、受信・再生モード２００の状態で、使用者等が操作釦２３〜３０を操作した後、ディフォルトモード１００に切り替わると、使用者等が最後に聴いた放送局の周波数とコンパクトディスクとミニディスクの楽音の記録トラック等の情報を、その都度、履歴記憶モード３００において履歴データ記憶部４６に記憶し、更に、履歴データ記憶部４６に記憶した情報を図８に示したように、各操作釦２３〜２６に表示させるようにしたので、たとえディフォルトモードになっても、使用者等は操作釦２３〜２６の表示を見るだけで、最後に聴いた放送や楽音を直感的に知ることができる。
【００５３】
このため、使用者等にとって視認性と操作性の良い表示装置を提供することができる。また、車両運転中の安全確保にも寄与するものである。
【００５４】
尚、本実施形態では、機械式の操作釦２３〜３２を備える場合を説明したが、本発明はこれに限定されるものではない。変形例として、図１３に示すように、操作パネル１９に比較的大型の表示部５１を設け、この表示部５１に、表示部２０に相当する表示領域２０’を設けると共に、操作釦２３〜３２のそれぞれに相当する操作釦の表示（アイコン表示という）２３’〜３２’を行い、使用者等がそれぞれのアイコン表示２３’〜３２’に触れることで、機械式の操作釦２３〜３２と同様の機能を発揮させるようにしてもよい。すなわち、所謂タッチ式の表示部５１を設けてもよい。
【００５５】
また、車載用オーディオ装置に設けられる本実施形態の表示装置はあくまでも一例であり、本発明は他の電子機器に広く適用することができるものである。例えば、本発明の表示装置をテレビジョン受像機に設けることにより、テレビジョン放送用周波数のチャンネル切換えとチャンネル表示を行うことができる。
【００５６】
【発明の効果】
以上説明したように本発明によれば、表示部を有する複数の表示部付き操作手段を備え、使用者等が最後に操作した情報を複数の操作対象部毎にそれらの表示部付き操作手段に表示するようにしたので、使用者等にとって視認性及び操作性の良い表示装置を実現することができる。
【図面の簡単な説明】
【図１】本実施の形態に係る表示装置の構成を模式的に示示した平面図である。
【図２】本実施の形態に係る表示装置に設けられた操作釦の構造を示す縦断面図である。
【図３】本実施の形態に係る表示装置に設けられた制御回路の構成を示すブロック図である。
【図４】選局データ記憶部のデータ記憶構成を示す説明図である。
【図５】プリセットデータ記憶部のデータ記憶構成を示す説明図である。
【図６】履歴データ記憶部のデータ記憶構成を示す説明図である。
【図７】本実施形態に係る表示装置の動作例を説明するための状態遷移図である。
【図８】デフォルトモードにおける表示例を示す説明図である。
【図９】受信・再生モードにおいてＡＭ放送が選局された場合の表示例を示す説明するである。
【図１０】受信・再生モードにおいてＦＭ放送が選局された場合の表示例を示す説明するである。
【図１１】受信・再生モードにおいてＣＤ再生装置が設定された場合の表示例を示す説明するである。
【図１２】受信・再生モードにおいてＭＤ再生装置が設定された場合の表示例を示す説明するである。
【図１３】本実施の形態に係る表示装置の変形例の構成を模式的に示した平面図である。
【図１４】従来の表示装置の構成を模式的に示した平面図である。
【符号の説明】
１８…操作パネル
２０，５１…表示部
２０’…表示領域
２７〜３０…操作釦
２７’〜３０’…アイコン表示
３４…窓部材
３５…エレクトロルミネッセンス
４１…中央制御部
４６…履歴データ記憶部
４７…受信機
４８…ＣＤ再生装置
４９…ＭＤ再生装置
【図１】
0003639136.tif 000002
【図２】
0003639136.tif 000003
【図３】
0003639136.tif 000004
【図４】
0003639136.tif 000005
【図５】
0003639136.tif 000006
【図６】
0003639136.tif 000007
【図７】
0003639136.tif 000008
【図８】
0003639136.tif 000009
【図９】
0003639136.tif 000010
【図１０】
0003639136.tif 000011
【図１１】
0003639136.tif 000012
【図１２】
0003639136.tif 000013
【図１３】
0003639136.tif 000014
【図１４】
0003639136.tif 000015